(57)【特許請求の範囲】
【請求項１】
商用電源又は蓄電池を電源とし、火災報知器からの火災信号を受信して通常時は有電圧の信号、非常時は無電圧の信号を出力する火災信号送信部を有し、この火災信号送信部の出力信号により光点滅・音声付き非常用照明器具を制御する信号装置において、
ユーザのスイッチ操作により前記非常用照明器具の光点滅・音声動作を一時的に待機させるための待機信号を該非常用照明器具に対して出力する一時待機信号送信部を備え、
前記一時待機信号送信部は、前記非常用照明器具との関連で設けられた煙感知器の感知動作に連動して該非常用照明器具の動作を停止させる動作停止用端子に対して前記待機信号を出力することを特徴とする光点滅・音声付き非常用照明器具に用いられる信号装置。
【請求項２】
前記一時待機信号送信部は、前記待機信号として無電圧を出力する常開接点出力端子を有し、この端子と前記動作停止用端子との間に信号配線を施したことを特徴とする請求項１に記載の光点滅・音声付き非常用照明器具に用いられる信号装置。
【請求項３】
前記一時待機信号送信部は、火災報知器からの火災信号を受信すると、前記待機信号の送出を停止することを特徴とする請求項１又は請求項２に記載の光点滅・音声付き非常用照明器具に用いられる信号装置。
【発明の詳細な説明】
【０００１】
【発明の属する技術分野】
本発明は、火災報知器からの火災信号を受けて動作し、避難誘導用の光点滅・音声付き非常用照明器具に対して制御用の信号を出力する信号装置に係り、特に、光点滅・音声動作の待機機能を持たせる技術に関する。
【０００２】
【従来の技術】
従来から、火炎感知器からの火災信号を受信して光（キセノン）点滅・音声を出力する避難誘導装置は知られている（例えば、特開平１０−２４１４５７号、特開平５−２６６３６８号公報参照）。また、保守点検モードを設けることで、音声警報装置を作動させることなく配線試験を行う火災報知システムも知られている（例えば、特開２０００−２０８４２号公報参照）。また、火災発生を報知する音響装置の動作を保守点検のために停止させる保守用のスイッチを有し、このスイッチが誤って操作されていた場合に、これを自動的に解除して本来の火災発生時に備える装置が知られている（例えば、特開平１０−２７５２９０号、特開平４−５２８９７号参照）。
【０００３】
ここで、従来の、火災報知器からの火災信号を受けて、光点滅・音声付き非常用照明器具を制御する信号装置を備えたシステム例を図６により説明する。同図において、本システムは、光点滅・音声付き非常用照明器具１と、自動火災報知器２と、この自動火災報知器２からの火災信号を受けて動作し、非常用照明器具１を制御する信号装置３ａとから成る。非常用照明器具１は、常時、通常点灯し、非常時に非常点灯するランプユニット１ａと、非常時のみ動作するキセノンランプ１ｂ・誘導音声出力ユニット１ｃとから構成され、信号装置３ａから信号配線４を介して送信される火災信号により制御される。信号装置３ａから出力される火災信号は、常時は「有電圧」、非常時は「無電圧」の信号とされ、これにより、非常用照明器具１の常時・非常時の動作の切替えが行われる。
【０００４】
上記非常用照明器具１には、煙感知器連動停止用端子５が設けられている。この端子５は、非常用照明器具１の設置位置に近接する非常階段室内に配置した煙感知器６が該端子５に接続されることで、階段室が煙で汚染された場合に、キセノンランプ１ｂ・誘導音声出力ユニット１ｃの動作を強制的に停止させるためのものである。なお、煙感知器６が煙を感知したとき、煙感知器連動停止用端子５は短絡された状態となる。
【０００５】
上記信号装置３ａは自動火災報知器２からの火災信号を受けて、常時は「有電圧」、非常時は「無電圧」の信号を非常用照明器具１に送出する。非常時に送出する火災信号を「無電圧」としているのは、信号配線４の断線等の安全を考慮したものである。また、信号装置３ａからの常時の有電圧信号を生成するための電力は、商用ＡＣ１００Ｖ電源から供給し、停電時には信号装置３ａ内の蓄電池７から供給するように電源を切り替えるが、通常、この蓄電池７からは容量の制約から略２０分間程度しか電力供給ができない。
【０００６】
【発明が解決しようとする課題】
ところで、上記のようなシステムが施工された現場では、光点滅・音声付き非常用照明器具以外にも非常時のみ蓄電池で動作する機器があるため、建物の電源ブレーカを落として非常時動作の点検を行うことが、新築、改築のどちらの場合にもよくある。こうした点検時の停電が２０分間を超えると、本システムにおける信号装置３ａ内部の蓄電池７の容量がなくなり、その結果、信号配線４に出力される火災信号が「無電圧」となるため、光点滅・音声付き非常用照明器具１の光点滅・音声の誤動作を起こして、混乱を招いてしまう。
【０００７】
その防止策として、信号装置３ａ内の蓄電池７を１台づつ外してから点検に入るようにしているのが現状である。このため、大規模な物件で多数の器具がある場合、点検作業に相当な手間がかかるという問題があった。上述した各公報に示されるいずれの装置においても、その点を改善できるものではない。
【０００８】
本発明は、上記問題を解消するものであり、光点滅・音声付き非常用照明器具の光点滅・音声動作を一箇所で一括に停止させる、すなわち一時待機機能を持たせることができ、保守点検時に商用電源を落としている時間が長くなっても、光点滅・音声の誤動作を起こすことのない、非常用照明器具を制御する信号装置を提供することを目的とする。
【０００９】
【課題を解決するための手段】
上記目的を達成するために請求項１の発明は、商用電源又は蓄電池を電源とし、火災報知器からの火災信号を受信して通常時は有電圧の信号、非常時は無電圧の信号を出力する火災信号送信部を有し、この火災信号送信部の出力信号により光点滅・音声付き非常用照明器具を制御する信号装置において、ユーザのスイッチ操作により前記非常用照明器具の光点滅・音声動作を一時的に待機させるための待機信号を該非常用照明器具に対して出力する一時待機信号送信部を備え、前記一時待機信号送信部は、前記非常用照明器具との関連で設けられた煙感知器の感知動作に連動して該非常用照明器具の動作を停止させる動作停止用端子に対して前記待機信号を出力するものである。
【００１０】
上記構成においては、装置の保守点検時に、ユーザが一時待機信号送信部におけるスイッチ操作を行うだけで、非常用照明器具に対して待機信号が出力され、非常用照明器具の光点滅・音声動作を一時的に待機させることができる。これにより、保守点検時に、装置内の個々の蓄電池を取り外すことなく、商用電源を落としている時間が長くなり、装置内部の蓄電池の容量が低下して火災信号送信部からの非常用照明器具に対する信号が無電圧（非常時のもの）となっても、非常用照明器具が誤って光点滅・音声動作することはない。また、煙感知器に連動して非常用照明器具の光点滅・音声動作を停止させる端子に対して待機信号を出力することで、光点滅・音声動作を一時待機させるので、非常用照明器具側に新たな構成を必要としない。
【００１２】
請求項２の発明は、請求項１に記載の光点滅・音声付き非常用照明器具に用いられる信号装置において、一時待機信号送信部は、待機信号として無電圧を出力する常開接点出力端子を有し、この端子と前記動作停止用端子との間に信号配線を施したものである。この構成においては、常開接点(a接点)を閉じるスイッチ操作だけで無電圧の一時待機信号を非常用照明器具に出力することができ、これにより強制的にその光点滅・音声動作を停止させることができる。その操作は容易であり、また、一時待機信号送信部は簡単な構成でよい。
【００１３】
請求項３の発明は、請求項１又は請求項２に記載の光点滅・音声付き非常用照明器具に用いられる信号装置において、一時待機信号送信部は、火災報知器からの火災信号を受信すると、前記待機信号の送出を停止するものである。この構成においては、火災報知器から火災信号を受信したとき、待機信号の送出は解除され、非常用照明器具は正常に光点滅・音声動作を開始する。
【００１４】
【発明の実施の形態】
以下、本発明の一実施形態による光点滅・音声付き非常用照明器具を制御する信号装置のシステム構成について図面を参照して説明する。図１は本システムの全体構成を、図２は信号装置のブロック構成を示す。本システムは、光点滅・音声付き非常用照明器具１（以下、非常用照明器具という）と、自動火災報知器２と、この自動火災報知器２からの火災信号を受けて動作し、非常用照明器具１を制御する信号装置３とから成る。そして、非常用照明器具１は、常時、通常点灯し、非常時に非常点灯するランプユニット１ａと、非常時のみ動作するキセノンランプ１ｂ・誘導音声出力ユニット１ｃとから構成され、信号装置３から信号配線４を介して送信される火災信号により制御される。この信号装置３から出力される火災信号は、常時は「有電圧」、非常時は「無電圧」の信号とされ、これにより、非常用照明器具１の常時・非常時の動作の切替えが行われるようになっている。
【００１５】
非常用照明器具１及び信号装置３は、常時は商用ＡＣ１００Ｖを電源とし、停電時や電源を落として行う保守点検時には内蔵の蓄電池を電源として動作する。非常用照明器具１には、煙感知器連動停止用端子５が設けられている。この端子５は、非常用照明器具１の設置位置に近接する非常階段室内に配置した煙感知器６が該端子５に接続されることで、階段室が煙で汚染された場合に、キセノンランプ１ｂ・誘導音声出力ユニット１ｃの動作を強制的に停止させるためのものである。なお、煙感知器６が煙を感知したとき、煙感知器連動停止用端子５は短絡された状態となる。
【００１６】
信号装置３は、火災信号受信部１１と、火災信号送信部１２と、光点滅・音声一時待機信号送信部１３とから構成される。火災信号受信部１１は、自動火災報知器２からの火災信号を火災信号送信部１２と光点滅・音声一時待機信号送信部１３とに送信する。火災信号送信部１２は、火災信号受信部１１からの信号により、常時は「有電圧」の信号を、非常時は「無電圧」の信号を非常用照明器具１へ送出する。非常時に送出する火災信号を「無電圧」とすることで、信号配線４の断線等に対しても安全側に動作する。信号装置３からの常時の有電圧信号を生成するための電力は、商用ＡＣ１００Ｖ電源から供給され、停電時には信号装置３内の蓄電池７から供給されるよう電源は切り替えられる。
【００１７】
光点滅・音声一時待機信号送信部１３は、ユーザのスイッチ操作により、常用照明器具１の光点滅・音声動作を一時的に待機させるための待機信号を非常用照明器具１に送信するものであり、スイッチ操作される常開接点（a接点）から成る光点滅・音声一時待機信号出力端子１４（以下、出力端子という）を備え、この出力端子１４と非常用照明器具１内の煙感知器連動停止用端子５との間を、光点滅・音声動作一時待機用配線１５（信号配線）により結線する。この出力端子１４は、光点滅・音声一時待機スイッチ（後述の図５の２５）により操作される。この構成により、常開接点の出力端子１４が閉じられることで、待機信号として無電圧を煙感知器連動停止用端子５に与える、すなわち該端子５を短絡することで、強制的に光点滅・音声動作を停止（一時待機）させることができる。
【００１８】
このように一時待機信号送信部１３は簡単な構成で成り、ユーザがスイッチ操作を行うだけで非常用照明器具１を一時待機させることができる。従って、装置の点検時に、信号装置３内の個々の蓄電池７を取り外すことなく、商用ＡＣ電源を落としている時間が長くなり、蓄電池７の容量が低下して火災信号送信部１２からの非常用照明器具１に対する信号が「無電圧」となっても、非常用照明器具１が誤って光点滅・音声動作することがなくなり、混乱を来たすことがなくなる。また、一時待機信号送信部１３は、自動火災報知器２からの火災信号を受信すると、待機信号の送出は停止され、待機状態が解除されるものとしている。これにより、待機状態にあっても異常事態になると、非常用照明器具１は光点滅・音声動作を開始する。
【００１９】
図３は、信号装置３の動作のフローチャートである。出力端子１４すなわち、光点滅・音声一時待機スイッチ２５（図５）がオンされており（＃１）、ＡＣ１００Ｖ電源が遮断されている状態で（＃２）、自動火災報知器２からの火災信号の有無に応じ（＃３）、火災信号が無ければ、非常用照明器具１の光点滅・音声動作を停止させ待機状態とし（＃４）、火災信号が有れば、非常用照明器具１を光点滅・音声動作させる（＃５）。
【００２０】
図４は信号装置３の外観を示し、図５はその操作部の外観を示す。信号装置３は、ケース内に上述した各送受信部１１，１２，１３や、火災信号送信部１２の火災信号出力端子１２ａ、光点滅・音声一時待機信号出力端子１４等が設けられ、ケース前面に操作部２１が設けられている。操作部２１には、スライド式の点検スイッチ２３、消灯スイッチ２４、光点滅・音声一時待機スイッチ２５、一括スイッチ２６、及びこれら各スイッチに対応して通常時の表示モニタ２７と各動作時の表示モニタ２８、並びに復帰スイッチ２９が設けられている。
【００２１】
なお、本発明は上記構成に限られず、種々の変形が可能であり、例えば、上記実施形態では、非常用照明器具１に非常時動作用にキセノンランプ１ｂと誘導音声出力ユニット１ｃとを備えたものを示したが、この内の一方のみを備えるものであっても構わない。また、上記実施形態では、光点滅・音声一時待機信号出力端子１４を非常用照明器具１内の煙感知器連動停止用端子５に接続した構成を示したが、これに限られず、同出力端子１４の出力は非常用照明器具１の動作を停止させ得る任意の箇所に与えらるものであってもよい。
【００２２】
【発明の効果】
以上のように、請求項１の発明によれば、装置の点検時に、ユーザが一時待機信号送信部のスイッチ操作を行うだけで、待機信号が非常用照明器具に送信され、非常用照明器具の光点滅・音声動作を一時的に待機させるので、装置内部の蓄電池の容量が低下して火災信号送信部からの非常用照明器具に対する信号が無電圧となっても、非常用照明器具が誤って光点滅・音声動作することはない。そして、点検のために商用電源を落としている時間が長くなっても、従来のように器具個々の蓄電池を取り外す必要がなく、作業が容易となる。
【００２３】
請求項２の発明によれば、煙感知器に連動して非常用照明器具の光点滅・音声動作を停止させる端子を利用して光点滅・音声動作を一時待機させるので、非常用照明器具側に特別な構成を新たに付加する必要がなく、簡単な構成で済む。
【００２４】
請求項３の発明によれば、無電圧の待機信号出力用の端子として常開接点を利用しているので、ユーザはこの接点を閉じるスイッチ操作を行うだけで、一時待機信号を非常用照明器具に送出して強制的にその光点滅・音声動作を停止させることができ、操作は容易であり、また、一時待機信号送信部は簡単な構成で済む。
【００２５】
請求項４の発明によれば、待機信号を非常用照明器具に送信している状態にあっても、信号装置が自動火災報知器からの火災信号を受信すると、待機信号の送出が解除され、非常用照明器具の光点滅・音声動作は正常に開始されるので、動作に支障がなくなる。
【図面の簡単な説明】
【図１】  本発明の一実施形態による光点滅・音声付き非常用照明器具を制御する信号装置のシステムの全体構成図。
【図２】  同上信号装置のブロック図。
【図３】  信号装置の動作のフローチャート。
【図４】  信号装置の外観図。
【図５】  信号装置の操作部の外観図。
【図６】  従来の光点滅・音声付き非常用照明器具を制御する信号装置を備えたシステム例を示す全体構成図。
【符号の説明】
１  光点滅・音声付き非常用照明器具（非常用照明器具）
１ａ  ランプユニット
１ｂ  キセノンランプ
１ｃ  導音声出力ユニット
２  自動火災報知器
３  信号装置
４  信号配線
５  煙感知器連動停止用端子
６  煙感知器
７  蓄電池
１１  火災信号受信部
１２  火災信号送信部
１３  光点滅・音声一時待機信号送信部
１４  光点滅・音声一時待機信号出力端子（出力端子）
１５  光点滅・音声動作一時待機用配線（信号配線）
２５  光点滅・音声一時待機スイッチ
【図１】
0004686900.tif 000002
【図２】
0004686900.tif 000003
【図３】
0004686900.tif 000004
【図４】
0004686900.tif 000005
【図５】
0004686900.tif 000006
【図６】
0004686900.tif 000007